(57)【要約】【課題】  印刷ジョブを送信するコンピューターがカード読取デバイスを備えていなくても、ＩＤカード情報を用いたプルプリントを実現することができる画像形成システムを提供する。【解決手段】  画像形成システムのコンピューターは、利用者の利用者名およびアクセスコードの組み合わせを印刷ジョブに関連付けてマネージャーＭＦＰに送信し、マネージャーＭＦＰは、この組み合わせを管理するとともに、この組み合わせの利用者名と、この印刷ジョブとを関連付けて管理し、クライアントＭＦＰは、ＩＤカードリーダーによって読み取られた（Ｓ１４１）ＩＤカード情報をマネージャーＭＦＰに送信し（Ｓ１４２）、マネージャーＭＦＰは、ＩＤカード情報が利用者名に関連付けてクライアントＭＦＰから送信されてきた場合に、このＩＤカード情報をこの利用者名に関連付けて管理する（Ｓ１４３）ことを特徴とする。【選択図】  図１４
2016081438.tif 000002
【特許請求の範囲】
【請求項１】
印刷ジョブを送信するコンピューターと、
前記コンピューターから送信されてきた前記印刷ジョブを管理するジョブ管理装置と、
前記ジョブ管理装置から送信されてきた前記印刷ジョブを実行する画像形成装置とを備え、
前記コンピューターは、利用者の識別情報および認証情報の組み合わせを前記印刷ジョブに関連付けて前記ジョブ管理装置に送信し、
前記ジョブ管理装置は、前記組み合わせが前記印刷ジョブに関連付けて前記コンピューターから送信されてきた場合に、この組み合わせを管理するとともに、この組み合わせの前記識別情報と、この印刷ジョブとを関連付けて管理し、
前記画像形成装置は、
ＩＤカードからＩＤカード情報を読み取るカード読取デバイスと、
前記カード読取デバイスによって読み取られた前記ＩＤカード情報および前記組み合わせの少なくとも一方を前記ジョブ管理装置に送信する情報送信手段とを備え、
前記ジョブ管理装置は、前記ＩＤカード情報が前記識別情報に関連付けて前記情報送信手段から送信されてきた場合に、このＩＤカード情報をこの識別情報に関連付けて管理し、
前記ジョブ管理装置は、前記組み合わせが前記情報送信手段から送信されてきた場合に、この組み合わせの前記識別情報に関連付けて管理している前記印刷ジョブを前記画像形成装置に送信し、
前記ジョブ管理装置は、前記ＩＤカード情報が前記情報送信手段から送信されてきた場合に、このＩＤカード情報に関連付けて管理している前記識別情報に関連付けて管理している前記印刷ジョブを前記画像形成装置に送信することを特徴とする画像形成システム。
【請求項２】
前記ジョブ管理装置は、第１のポート番号宛てに前記コンピューターから送信されてきた前記印刷ジョブを実行し、前記第１のポート番号とは異なる第２のポート番号宛てに前記コンピューターから送信されてきた前記印刷ジョブを管理することを特徴とする請求項１に記載の画像形成システム。
【発明の詳細な説明】
【技術分野】
【０００１】
本発明は、事前に管理されている印刷ジョブを画像形成装置において呼び出して実行する所謂プルプリントを実現するための画像形成システムに関する。
【背景技術】
【０００２】
従来、プルプリントを実行するための画像形成システムとして、利用者のコンピューターからサーバーコンピューターに印刷ジョブを送信することによってサーバーコンピューターに印刷ジョブを記憶させた後、任意の画像形成装置に利用者がログインした場合にその利用者の印刷ジョブがサーバーコンピューターから画像形成装置に送信され、送信された印刷ジョブを画像形成装置が実行するシステムが知られている（例えば、特許文献１参照。）。
【先行技術文献】
【特許文献】
【０００３】
【特許文献１】特開２０１４−８１７２８号公報
【発明の概要】
【発明が解決しようとする課題】
【０００４】
しかしながら、特許文献１に記載された画像形成システムおいては、ＩＤカードから読み取ったＩＤカード情報に応じて印刷ジョブを実行しようとする場合、利用者のコンピューターからサーバーコンピューターにＩＤカード情報を登録するために、ＩＤカードからＩＤカード情報を読み取るカード読取デバイスを利用者のコンピューターが備えていなければならないという問題がある。
【０００５】
そこで、本発明は、印刷ジョブを送信するコンピューターがカード読取デバイスを備えていなくても、ＩＤカード情報を用いたプルプリントを実現することができる画像形成システムを提供することを目的とする。
【課題を解決するための手段】
【０００６】
本発明の画像形成システムは、印刷ジョブを送信するコンピューターと、前記コンピューターから送信されてきた前記印刷ジョブを管理するジョブ管理装置と、前記ジョブ管理装置から送信されてきた前記印刷ジョブを実行する画像形成装置とを備え、前記コンピューターは、利用者の識別情報および認証情報の組み合わせを前記印刷ジョブに関連付けて前記ジョブ管理装置に送信し、前記ジョブ管理装置は、前記組み合わせが前記印刷ジョブに関連付けて前記コンピューターから送信されてきた場合に、この組み合わせを管理するとともに、この組み合わせの前記識別情報と、この印刷ジョブとを関連付けて管理し、前記画像形成装置は、ＩＤカードからＩＤカード情報を読み取るカード読取デバイスと、前記カード読取デバイスによって読み取られた前記ＩＤカード情報および前記組み合わせの少なくとも一方を前記ジョブ管理装置に送信する情報送信手段とを備え、前記ジョブ管理装置は、前記ＩＤカード情報が前記識別情報に関連付けて前記情報送信手段から送信されてきた場合に、このＩＤカード情報をこの識別情報に関連付けて管理し、前記ジョブ管理装置は、前記組み合わせが前記情報送信手段から送信されてきた場合に、この組み合わせの前記識別情報に関連付けて管理している前記印刷ジョブを前記画像形成装置に送信し、前記ジョブ管理装置は、前記ＩＤカード情報が前記情報送信手段から送信されてきた場合に、このＩＤカード情報に関連付けて管理している前記識別情報に関連付けて管理している前記印刷ジョブを前記画像形成装置に送信することを特徴とする。
【０００７】
この構成により、本発明の画像形成システムは、コンピューターから送信されてきた印刷ジョブを管理するジョブ管理装置が画像形成装置から送信されてきたＩＤカード情報を管理するので、印刷ジョブを送信するコンピューターがカード読取デバイスを備えていなくても、ＩＤカード情報を用いたプルプリントを実現することができる。
【０００８】
また、本発明の画像形成システムにおいて、前記ジョブ管理装置は、第１のポート番号宛てに前記コンピューターから送信されてきた前記印刷ジョブを実行し、前記第１のポート番号とは異なる第２のポート番号宛てに前記コンピューターから送信されてきた前記印刷ジョブを管理しても良い。
【０００９】
この構成により、本発明の画像形成システムのジョブ管理装置は、印刷ジョブの実行と、印刷ジョブの送信のための印刷ジョブの管理とを、コンピューターから送信された印刷ジョブの宛先のポート番号によって切り替えて動作するので、画像形成装置によって実現されることが可能である。したがって、本発明の画像形成システムは、サーバーコンピューターを使用せずにプルプリントを実現することができる。
【発明の効果】
【００１０】
本発明の画像形成システムは、印刷ジョブを送信するコンピューターがカード読取デバイスを備えていなくても、ＩＤカード情報を用いたプルプリントを実現することができる。
【図面の簡単な説明】
【００１１】
【図１】本発明の一実施の形態に係る画像形成システムのブロック図である。
【図２】図１に示すコンピューターのブロック図である。
【図３】図１に示すマネージャーＭＦＰのブロック図である。
【図４】図３に示す利用者情報テーブルの一例を示す図である。
【図５】図３に示すジョブ情報テーブルの一例を示す図である。
【図６】図１に示すクライアントＭＦＰのブロック図である。
【図７】図２に示すプリンタードライバーによるポート番号の設定画面の一例を示す図である。
【図８】図２に示すプリンタードライバーによるプルプリントの設定画面の一例を示す図である。
【図９】印刷ジョブを管理する場合の図３に示すマネージャーＭＦＰの動作のフローチャートである。
【図１０】図６に示す表示部に表示されるログイン画面の一例を示す図である。
【図１１】マネージャーＭＦＰによって管理されている印刷ジョブをクライアントＭＦＰで実行する場合の図１に示すマネージャーＭＦＰおよびクライアントＭＦＰの動作のシーケンス図である。
【図１２】図６に示す表示部に表示される利用者名一覧画面の一例を示す図である。
【図１３】図６に示す表示部に表示されるジョブ一覧画面の一例を示す図である。
【図１４】ＩＤカード情報を登録する場合の図１に示すマネージャーＭＦＰおよびクライアントＭＦＰの動作のシーケンス図である。
【図１５】ＩＤカードによってジョブ一覧画面を表示部に表示させる場合の図１に示すマネージャーＭＦＰおよびクライアントＭＦＰの動作のシーケンス図である。
【発明を実施するための形態】
【００１２】
以下、本発明の一実施の形態について、図面を用いて説明する。
【００１３】
まず、本実施の形態に係る画像形成システムの構成について説明する。
【００１４】
図１は、本実施の形態に係る画像形成システム１０のブロック図である。
【００１５】
図１に示すように、画像形成システム１０は、印刷ジョブを送信するコンピューター２０と、コンピューター２０によって送信されてきた印刷ジョブを管理可能なＭＦＰ（Ｍｕｌｔｉｆｕｎｃｔｉｏｎ  Ｐｅｒｉｐｈｅｒａｌ）であるジョブ管理装置としてのマネージャーＭＦＰ３０と、マネージャーＭＦＰ３０によって管理されている印刷ジョブを実行可能な画像形成装置としてのＭＦＰであるクライアントＭＦＰ４０などの複数のクライアントＭＦＰとを備えている。コンピューター２０と、マネージャーＭＦＰ３０と、クライアントＭＦＰ４０などのクライアントＭＦＰとは、ＬＡＮ（Ｌｏｃａｌ  Ａｒｅａ  Ｎｅｔｗｏｒｋ）、インターネットなどのネットワーク１１を介して互いに通信可能に接続されている。
【００１６】
なお、クライアントＭＦＰ４０以外のクライアントＭＦＰについては、クライアントＭＦＰ４０と同様であるので、以下において説明を省略する。
【００１７】
図２は、コンピューター２０のブロック図である。
【００１８】
図２に示すように、コンピューター２０は、種々の操作が入力されるマウスやキーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク１１（図１参照。）経由でＭＦＰなど、外部の装置と通信を実行する通信デバイスである通信部２３と、プログラムおよび各種のデータを記憶しているＨＤＤ（Ｈａｒｄ  Ｄｉｓｋ  Ｄｒｉｖｅ）などの記憶デバイスである記憶部２４と、コンピューター２０全体を制御する制御部２５とを備えている。コンピューター２０は、例えばＰＣ（Ｐｅｒｓｏｎａｌ  Ｃｏｍｐｕｔｅｒ）などの電子機器によって構成されている。
【００１９】
記憶部２４は、コンピューター２０からＭＦＰを制御するプリンタードライバー２４ａを記憶している。プリンタードライバー２４ａは、コンピューター２０の製造段階でコンピューター２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリーなどの記憶媒体からコンピューター２０に追加でインストールされても良いし、ネットワーク１１上からコンピューター２０に追加でインストールされても良い。
【００２０】
記憶部２４は、マネージャーＭＦＰ３０（図１参照。）の第１のポート番号として、通常の印刷のためのポート番号（以下「通常印刷用ポート番号」と言う。）２４ｂを記憶することが可能である。また、記憶部２４は、マネージャーＭＦＰ３０の第２のポート番号として、プルプリント用のポート番号（以下「プルプリント用ポート番号」と言う。）２４ｃを記憶することが可能である。また、記憶部２４は、クライアントＭＦＰ４０（図１参照。）などの複数のクライアントＭＦＰに対しても、通常印刷用ポート番号２４ｄをそれぞれ記憶することができる。
【００２１】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行するようになっている。
【００２２】
制御部２５は、記憶部２４に記憶されているプリンタードライバー２４ａを実行することによって、指示を受け付ける指示受付手段２５ａ、および、指示受付手段２５ａによって受け付けられた指示に応じてＭＦＰに印刷ジョブを送信するジョブ送信手段２５ｂとして機能する。
【００２３】
図３は、マネージャーＭＦＰ３０のブロック図である。
【００２４】
図３に示すように、マネージャーＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に印刷を実行する印刷デバイスであるプリンター３４と、図示していない外部のファクシミリ装置と公衆電話回線などの通信回線経由でファックス通信を実行するファックスデバイスであるファックス通信部３５と、ネットワーク１１（図１参照。）経由でコンピューター２０（図１参照。）など、外部の装置と通信を実行する通信デバイスである通信部３６と、ＩＤカードからＩＤカード情報を読み取るカード読取デバイスとしてのＩＤカードリーダー３７と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤなどの記憶デバイスである記憶部３８と、マネージャーＭＦＰ３０全体を制御する制御部３９とを備えている。
【００２５】
記憶部３８は、印刷ジョブの実行を制御するための印刷制御プログラム３８ａと、プルプリントを制御するためのジョブ管理プログラムとしてのマネージャー用プルプリントプログラム３８ｂとを記憶している。印刷制御プログラム３８ａおよびマネージャー用プルプリントプログラム３８ｂは、マネージャーＭＦＰ３０の製造段階でマネージャーＭＦＰ３０にインストールされていても良いし、ＳＤカード、ＵＳＢ（Ｕｎｉｖｅｒｓａｌ  Ｓｅｒｉａｌ  Ｂｕｓ）メモリーなどの記憶媒体からマネージャーＭＦＰ３０に追加でインストールされても良いし、ネットワーク１１上からマネージャーＭＦＰ３０に追加でインストールされても良い。
【００２６】
記憶部３８は、通常印刷用ポート番号３８ｃおよびプルプリント用ポート番号３８ｄを記憶することが可能である。通常印刷用ポート番号３８ｃおよびプルプリント用ポート番号３８ｄは、互いに異なるポート番号であって、例えばマネージャーＭＦＰ３０の管理者によって任意に設定されることが可能である。例えば、通常印刷用ポート番号３８ｃ、プルプリント用ポート番号３８ｄは、それぞれ、「９１００」、「３９１００」である。
【００２７】
記憶部３８は、コンピューター２０から送信されてきた印刷ジョブ３８ｅを複数記憶することができる。
【００２８】
また、記憶部３８は、利用者の情報を管理するための利用者情報テーブル３８ｆと、印刷ジョブの情報を管理するためのジョブ情報テーブル３８ｇとを記憶することができる。
【００２９】
図４は、利用者情報テーブル３８ｆの一例を示す図である。
【００３０】
図４に示すように、利用者情報テーブル３８ｆには、利用者の識別情報を示す利用者名と、利用者の認証情報を示すアクセスコードと、利用者のＩＤカードのＩＤカード情報とが利用者毎に含まれる。例えば、図４に示す例では、利用者名「k080701267」の利用者のアクセスコードは、「5678」である。
【００３１】
図５は、ジョブ情報テーブル３８ｇの一例を示す図である。
【００３２】
図５に示すように、ジョブ情報テーブル３８ｇには、印刷ジョブの名称を示すジョブ名と、印刷ジョブに関連付けられている利用者名と、印刷ジョブのファイル名とが印刷ジョブ毎に含まれる。例えば、図５に示す例では、ジョブ名「Word_140513_102723.prn」の印刷ジョブに関連付けられている利用者名、ファイル名は、それぞれ、「k080701267」、「info.doc」である。
【００３３】
図３に示す制御部３９は、例えば、ＣＰＵと、プログラムおよび各種のデータを記憶しているＲＯＭと、ＣＰＵの作業領域として用いられる主記憶デバイスとしてのＲＡＭとを備えている。ＣＰＵは、ＲＯＭまたは記憶部３８に記憶されているプログラムを実行する。
【００３４】
制御部３９は、記憶部３８に記憶されている印刷制御プログラム３８ａを実行することによって、通常印刷用ポート番号３８ｃ宛てに通信部３６によって受信された印刷ジョブをプリンター３４によって実行する印刷実行手段３９ａとして機能する。
【００３５】
また、制御部３９は、記憶部３８に記憶されているマネージャー用プルプリントプログラム３８ｂを実行することによって、プルプリント用ポート番号３８ｄ宛てに通信部３６によって受信された印刷ジョブを管理するジョブ管理手段３９ｂ、および、ジョブ管理手段３９ｂによって管理されている印刷ジョブをクライアントＭＦＰからの要求に応じて通信部３６を介してクライアントＭＦＰに送信する他装置送信手段３９ｃとして機能する。
【００３６】
図６は、クライアントＭＦＰ４０のブロック図である。
【００３７】
図６に示すように、クライアントＭＦＰ４０は、マネージャーＭＦＰ３０（図３参照。）と同様に、操作部４１、表示部４２、スキャナー４３、プリンター４４、ファックス通信部４５、通信部４６、ＩＤカードリーダー４７、記憶部４８および制御部４９を備えている。
【００３８】
記憶部４８は、印刷ジョブの実行を制御するための印刷制御プログラム４８ａと、プルプリントを制御するためのクライアント用プルプリントプログラム４８ｂとを記憶している。印刷制御プログラム４８ａおよびクライアント用プルプリントプログラム４８ｂは、クライアントＭＦＰ４０の製造段階でクライアントＭＦＰ４０にインストールされていても良いし、ＳＤカード、ＵＳＢメモリーなどの記憶媒体からクライアントＭＦＰ４０に追加でインストールされても良いし、ネットワーク１１（図１参照。）上からクライアントＭＦＰ４０に追加でインストールされても良い。
【００３９】
記憶部４８は、通常印刷用ポート番号４８ｃを記憶することが可能である。通常印刷用ポート番号４８ｃは、例えばクライアントＭＦＰ４０の管理者によって任意に設定されることが可能である。例えば、通常印刷用ポート番号４８ｃは、「９１００」である。
【００４０】
制御部４９は、記憶部４８に記憶されている印刷制御プログラム４８ａを実行することによって、通常印刷用ポート番号４８ｃ宛てに通信部４６によって受信された印刷ジョブをプリンター４４によって実行する通常印刷実行手段４９ａとして機能する。
【００４１】
また、制御部４９は、記憶部４８に記憶されているクライアント用プルプリントプログラム４８ｂを実行することによって、マネージャーＭＦＰ３０に情報を送信する情報送信手段４９ｂ、および、マネージャーＭＦＰ３０から受信した印刷ジョブをプリンター４４によって実行するプルプリント用印刷実行手段４９ｃとして機能する。
【００４２】
次に、画像形成システム１０の動作について説明する。
【００４３】
まず、プリンタードライバー２４ａによるポート番号の設定について説明する。
【００４４】
利用者は、コンピューター２０の操作部２１を介して、マネージャーＭＦＰ３０のプルプリント用ポート番号の設定の開始をコンピューター２０に指示することができる。コンピューター２０の指示受付手段２５ａは、マネージャーＭＦＰ３０のプルプリント用ポート番号の設定の開始が指示されると、図７に示す設定画面５０を表示部２２に表示する。
【００４５】
図７は、プリンタードライバー２４ａによるポート番号の設定画面５０の一例を示す図である。
【００４６】
図７に示す設定画面５０には、設定対象のポートの名称が入力されるためのテキストボックス５１と、設定対象のＭＦＰの名称またはＩＰ（Ｉｎｔｅｒｎｅｔ  Ｐｒｏｔｏｃｏｌ）アドレスが入力されるためのテキストボックス５２と、設定対象のＭＦＰとの通信プロトコルとしてＲａｗが選択されるためのラジオボタン５３ａと、設定対象のＭＦＰとの通信プロトコルとしてＬＰＲ（Ｌｉｎｅ  Ｐｒｉｎｔｅｒ  ｄａｅｍｏｎ  ｐｒｏｔｏｃｏｌ）が選択されるためのラジオボタン５３ｂと、設定対象のＭＦＰとＲａｗプロトコルで通信する場合に使用するポート番号が入力されるためのテキストボックス５４と、設定対象のＭＦＰとＬＰＲで通信する場合の設定領域５５と、ＳＮＭＰ（Ｓｉｍｐｌｅ  Ｎｅｔｗｏｒｋ  Ｍａｎａｇｅｍｅｎｔ  Ｐｒｏｔｏｃｏｌ）に関する設定領域５６と、設定を有効にするためのＯＫボタン５７と、設定を中止するためのキャンセルボタン５８とが含まれている。ラジオボタン５３ａおよびラジオボタン５３ｂは、常に何れか一方のみが選択された状態になる。
【００４７】
利用者は、設定画面５０において、マネージャーＭＦＰ３０のＩＰアドレスをテキストボックス５２に入力し、ラジオボタン５３ａを選択し、マネージャーＭＦＰ３０のプルプリント用ポート番号として例えばマネージャーＭＦＰ３０の管理者から通知されているポート番号をテキストボックス５４に入力した後、ＯＫボタン５７を押すことによって、プリンタードライバー２４ａによるマネージャーＭＦＰ３０のプルプリント用ポート番号の設定を指示することができる。
【００４８】
指示受付手段２５ａは、プリンタードライバー２４ａによるマネージャーＭＦＰ３０のプルプリント用ポート番号の設定が指示されると、テキストボックス５４において指定されていたポート番号をプルプリント用ポート番号２４ｃとして記憶部２４に記憶する。
【００４９】
以上においては、プリンタードライバー２４ａによるマネージャーＭＦＰ３０のプルプリント用ポート番号の設定について説明したが、プリンタードライバー２４ａによるマネージャーＭＦＰ３０の通常印刷用ポート番号の設定や、プリンタードライバー２４ａによるクライアントＭＦＰの通常印刷用ポート番号の設定についても同様である。
【００５０】
次に、通常の印刷の場合の画像形成システム１０の動作について説明する。
【００５１】
利用者は、コンピューター２０の操作部２１を介して、印刷部数、ページ集約、両面印刷などの様々な設定に応じた印刷をマネージャーＭＦＰ３０に実行させる指示をコンピューター２０に入力することができる。マネージャーＭＦＰ３０に印刷を実行させる指示が入力されると、コンピューター２０の指示受付手段２５ａは、マネージャーＭＦＰ３０に印刷を実行させる指示を受け付ける。
【００５２】
コンピューター２０のジョブ送信手段２５ｂは、マネージャーＭＦＰ３０に印刷を実行させる指示が指示受付手段２５ａによって受け付けられると、指示受付手段２５ａによって受け付けられた指示に応じた印刷ジョブを、記憶部２４に記憶されている通常印刷用ポート番号２４ｂ宛てにマネージャーＭＦＰ３０に対して送信する。
【００５３】
そして、マネージャーＭＦＰ３０の印刷実行手段３９ａは、通信部３６によって受信された印刷ジョブの宛先と、記憶部３８に記憶されている通常印刷用ポート番号３８ｃとが同一である場合、すなわち、通常印刷用ポート番号３８ｃ宛ての印刷ジョブが通信部３６によって受信された場合、通信部３６によって受信された印刷ジョブをプリンター３４によって実行する。
【００５４】
以上においては、マネージャーＭＦＰ３０による通常の印刷について説明したが、クライアントＭＦＰによる通常の印刷についても同様である。
【００５５】
次に、プルプリントの場合の画像形成システム１０の動作について説明する。
【００５６】
利用者は、マネージャーＭＦＰ３０によるクライアントＭＦＰへの印刷ジョブの送信のためにマネージャーＭＦＰ３０に印刷ジョブを管理させる指示、すなわち、プルプリントの指示を、コンピューター２０の操作部２１を介してコンピューター２０に入力することができる。具体的には、利用者は、印刷部数、ページ集約、両面印刷などの様々な印刷設定と、図８に示す設定画面６０によるプルプリント（プライベートプリント）用の設定とを行った印刷を実行する指示をコンピューター２０に入力する。
【００５７】
図８は、プリンタードライバー２４ａによるプルプリントの設定画面６０の一例を示す図である。
【００５８】
図８に示す設定画面６０には、アクセスコードが入力されるためのテキストボックス６１と、設定を有効にするためのＯＫボタン６２と、設定を中止するためのキャンセルボタン６３とが含まれている。
【００５９】
プルプリントの指示が入力されると、コンピューター２０の指示受付手段２５ａは、プルプリントの指示を受け付ける。
【００６０】
コンピューター２０のジョブ送信手段２５ｂは、プルプリントの指示が指示受付手段２５ａによって受け付けられると、指示受付手段２５ａによって受け付けられた指示に応じた印刷ジョブを、記憶部２４に記憶されているプルプリント用ポート番号２４ｃ宛てにマネージャーＭＦＰ３０に対して送信する。このとき、ジョブ送信手段２５ｂは、マネージャーＭＦＰ３０のプルプリント用ポート番号宛てに送信する印刷ジョブのＰＪＬ（Ｐｒｉｎｔｅｒ  Ｊｏｂ  Ｌａｎｇｕａｇｅ）に次のコマンドを付与する。
【００６１】
@PJL SET HOLDTYPE=PRIVATE
@PJL SET HOLDKEY=”5678”
@PJL SET USERNAME=”k080701267”
【００６２】
一行目のコマンドは、パラメーター「HOLDTYPE」に値「PRIVATE」を設定するコマンドであり、プルプリントが指示された印刷ジョブであることを示すコマンドである。
【００６３】
二行目のコマンドは、パラメーター「HOLDKEY」に値「5678」を設定するコマンドであり、アクセスコードを示すコマンドである。なお、値「5678」は、一例であり、実際には、設定画面６０のテキストボックス６１において設定された値である。
【００６４】
三行目のコマンドは、パラメーター「USERNAME」に値「k080701267」を設定するコマンドであり、利用者名を示すコマンドである。なお、値「k080701267」は、一例であり、実際には、プルプリントの指示を入力した利用者がコンピューター２０にログインした利用者名である。
【００６５】
そして、マネージャーＭＦＰ３０のジョブ管理手段３９ｂは、通信部３６によって受信された印刷ジョブの宛先と、記憶部３８に記憶されているプルプリント用ポート番号３８ｄとが同一である場合、すなわち、プルプリント用ポート番号３８ｄ宛ての印刷ジョブが通信部３６によって受信された場合、通信部３６によって受信された印刷ジョブを管理する。具体的には、ジョブ管理手段３９ｂは、図９に示す動作を実行する。
【００６６】
図９は、印刷ジョブを管理する場合のマネージャーＭＦＰ３０の動作のフローチャートである。
【００６７】
図９に示すように、ジョブ管理手段３９ｂは、対象の印刷ジョブのＰＪＬのコマンドにおいてパラメーター「HOLDTYPE」に値「PRIVATE」が設定されているか否かを判断する（Ｓ１０１）。
【００６８】
ジョブ管理手段３９ｂは、パラメーター「HOLDTYPE」に値「PRIVATE」が設定されているとＳ１０１において判断すると、対象の印刷ジョブのＰＪＬのコマンドにおいてパラメーター「HOLDKEY」に番号が設定されているか否かを判断する（Ｓ１０２）。
【００６９】
ジョブ管理手段３９ｂは、パラメーター「HOLDKEY」に番号が設定されているとＳ１０２において判断すると、対象の印刷ジョブのＰＪＬのコマンドにおいてパラメーター「USERNAME」に利用者名が設定されているか否かを判断する（Ｓ１０３）。
【００７０】
ジョブ管理手段３９ｂは、パラメーター「HOLDTYPE」に値「PRIVATE」が設定されていないとＳ１０１において判断するか、パラメーター「HOLDKEY」に番号が設定されていないとＳ１０２において判断するか、パラメーター「USERNAME」に利用者名が設定されていないとＳ１０３において判断すると、対象の印刷ジョブを破棄して（Ｓ１０４）、図９に示す動作を終了する。
【００７１】
ジョブ管理手段３９ｂは、パラメーター「USERNAME」に利用者名が設定されているとＳ１０３において判断すると、対象の印刷ジョブのＰＪＬのコマンドにおいてパラメーター「USERNAME」に設定されている利用者名と、対象の印刷ジョブのＰＪＬのコマンドにおいてパラメーター「HOLDKEY」に番号として設定されているアクセスコードとを関連付けて利用者情報テーブル３８ｆに記憶する（Ｓ１０５）。具体的には、ジョブ管理手段３９ｂは、対象の利用者名が利用者情報テーブル３８ｆに記憶されているか否かを判断し、対象の利用者名が利用者情報テーブル３８ｆに記憶されていなければ、対象の利用者名を利用者情報テーブル３８ｆに追加する。次いで、ジョブ管理手段３９ｂは、利用者情報テーブル３８ｆにおいて対象の利用者名に対応付けられるアクセスコードとして、対象のアクセスコードを記憶させる。ここで、利用者情報テーブル３８ｆにおいて対象の利用者名に既にアクセスコードが対応付けられる場合には、既に対応付けられているアクセスコードを、対象のアクセスコードによって上書きする。
【００７２】
ジョブ管理手段３９ｂは、Ｓ１０５の処理の後、対象の印刷ジョブの情報をジョブ情報テーブル３８ｇに記憶する（Ｓ１０６）。ここで、ジョブ管理手段３９ｂは、対象の印刷ジョブのジョブ名を任意に生成しても良い。また、対象の印刷ジョブの情報の１つとして、対象の印刷ジョブのＰＪＬのコマンドにおいてパラメーター「USERNAME」に設定されている利用者名もジョブ情報テーブル３８ｇに記憶させる。
【００７３】
次いで、ジョブ管理手段３９ｂは、対象の印刷ジョブを印刷ジョブ３８ｅとして記憶部３８に記憶して（Ｓ１０７）、図９に示す動作を終了する。
【００７４】
利用者は、印刷ジョブがマネージャーＭＦＰ３０によって図９に示すように管理されると、マネージャーＭＦＰ３０へのログインをクライアントＭＦＰ４０の操作部４１を介してクライアントＭＦＰ４０に指示することができる。ここで、クライアントＭＦＰ４０の表示部４２には、マネージャーＭＦＰ３０へのログインのための図１０に示すようなログイン画面７０が表示される。
【００７５】
図１０は、ログイン画面７０の一例を示す図である。
【００７６】
図１０に示すログイン画面７０には、利用者名が入力されるためのテキストボックス７１と、ログイン用のパスワードが入力されるためのテキストボックス７２と、処理を中止するためのキャンセルボタン７３と、ＩＤカードによってログインするためのボタン７４と、処理を続行するためのＯＫボタン７５とが含まれる。
【００７７】
利用者は、テキストボックス７１、テキストボックス７２にそれぞれ利用者名、パスワードを入力して、ＯＫボタン７５を押すことによって、テキストボックス７１に入力された利用者名と、テキストボックス７２に入力されたパスワードとの組み合わせをログイン用情報としたマネージャーＭＦＰ３０へのログインを、クライアントＭＦＰ４０に指示することができる。また、利用者は、ＩＤカードリーダー４７にＩＤカードをセットしてログイン画面７０においてボタン７４を押すことによって、ＩＤカードリーダー４７によってＩＤカードから読み取られたＩＤカード情報をログイン用情報としたマネージャーＭＦＰ３０へのログインを、クライアントＭＦＰ４０に指示することができる。
【００７８】
図１１は、マネージャーＭＦＰ３０によって管理されている印刷ジョブをクライアントＭＦＰ４０で実行する場合のマネージャーＭＦＰ３０およびクライアントＭＦＰ４０の動作のシーケンス図である。
【００７９】
図１１に示すように、クライアントＭＦＰ４０は、マネージャーＭＦＰ３０へのログインが指示されると、利用者によって入力されたログイン用情報をマネージャーＭＦＰ３０に送信する（Ｓ１２１）。ここで、マネージャーＭＦＰ３０と、クライアントＭＦＰ４０との間の通信は、Ｗｅｂサービスを使用して実現される。
【００８０】
マネージャーＭＦＰ３０のジョブ管理手段３９ｂは、Ｓ１２１によって送信されたログイン用情報に基づいて利用者のログインの成否を判断する（Ｓ１２２）。そして、ジョブ管理手段３９ｂは、利用者のログインが成功したと判断すると、利用者情報テーブル３８ｆに記憶されている利用者名の一覧を、クライアントＭＦＰ４０に送信する（Ｓ１２３）。
【００８１】
クライアントＭＦＰ４０は、マネージャーＭＦＰ３０から利用者名の一覧を受信すると、図１２に示すような利用者名一覧画面８０を表示部４２に表示する（Ｓ１２４）。
【００８２】
図１２は、利用者名一覧画面８０の一例を示す図である。
【００８３】
図１２に示す利用者名一覧画面８０には、マネージャーＭＦＰ３０から受信した利用者名の一覧を表示するための利用者名一覧領域８１と、アクセスコードを入力するためのテキストボックス８２と、処理を中止するためのキャンセルボタン８３と、ＩＤカードによって利用者を選択するためのボタン８４と、処理を続行するためのＯＫボタン８５とが含まれる。
【００８４】
利用者は、利用者名一覧画面８０において、利用者名一覧領域８１で利用者名を選択し、利用者名一覧領域８１で選択した利用者名に対応するアクセスコードをテキストボックス８２に入力し、ＯＫボタン８５を押すことができる。
【００８５】
そして、クライアントＭＦＰ４０の情報送信手段４９ｂは、ＯＫボタン８５が押された時点で利用者名一覧領域８１において選択されている利用者名と、ＯＫボタン８５が押された時点でテキストボックス８２に入力されているアクセスコードとの組み合わせを、マネージャーＭＦＰ３０に送信する（Ｓ１２５）。
【００８６】
マネージャーＭＦＰ３０のジョブ管理手段３９ｂは、クライアントＭＦＰ４０から送信されてきた利用者名およびアクセスコードの組み合わせを受信すると、受信した利用者名およびアクセスコードの組み合わせが利用者情報テーブル３８ｆに記憶されている場合、この利用者名にジョブ情報テーブル３８ｇにおいて関連付けられている印刷ジョブの一覧を抽出する（Ｓ１２６）。そして、ジョブ管理手段３９ｂは、Ｓ１２６において抽出した印刷ジョブの一覧をクライアントＭＦＰ４０に送信する（Ｓ１２７）。
【００８７】
クライアントＭＦＰ４０は、マネージャーＭＦＰ３０から送信されてきた印刷ジョブの一覧を受信すると、図１３に示すようなジョブ一覧画面９０を表示部４２に表示する（Ｓ１２８）。
【００８８】
図１３は、ジョブ一覧画面９０の一例を示す図である。
【００８９】
図１３に示すジョブ一覧画面９０には、マネージャーＭＦＰ３０から受信した印刷ジョブの一覧を表示するためのジョブ一覧領域９１と、利用者名一覧画面８０に戻るためのボタン９２と、ＩＤカード情報を登録するためのボタン９３と、処理を続行するためのＯＫボタン９４とが含まれる。
【００９０】
利用者は、ジョブ一覧画面９０において、ジョブ一覧領域９１で少なくとも１つの印刷ジョブを選択し、ＯＫボタン９４を押すことができる。
【００９１】
そして、クライアントＭＦＰ４０は、ＯＫボタン９４が押された時点でジョブ一覧領域９１において選択されている印刷ジョブのジョブ名をマネージャーＭＦＰ３０に送信することによって、印刷ジョブをマネージャーＭＦＰ３０に要求する（Ｓ１２９）。
【００９２】
マネージャーＭＦＰ３０の他装置送信手段３９ｃは、クライアントＭＦＰ４０から送信されてきたジョブ名を受信すると、受信したジョブ名が付けられている印刷ジョブ３８ｅを記憶部３８から読み出して（Ｓ１３０）、読み出した印刷ジョブをクライアントＭＦＰ４０に送信する（Ｓ１３１）。
【００９３】
クライアントＭＦＰ４０のプルプリント用印刷実行手段４９ｃは、マネージャーＭＦＰ３０から送信されてきた印刷ジョブを受信すると、受信した印刷ジョブをプリンター４４によって実行する（Ｓ１３２）。
【００９４】
なお、利用者は、ジョブ一覧画面９０においてＩＤカード情報を登録することができる。具体的には、利用者は、ＩＤカードリーダー４７にＩＤカードをセットしてジョブ一覧画面９０においてボタン９３を押すことによって、ＩＤカード情報を登録することができる。
【００９５】
図１４は、ＩＤカード情報を登録する場合のマネージャーＭＦＰ３０およびクライアントＭＦＰ４０の動作のシーケンス図である。
【００９６】
図１４に示すように、クライアントＭＦＰ４０の情報送信手段４９ｂは、ジョブ一覧画面９０においてボタン９３が押されると、ＩＤカードリーダー４７によってＩＤカードからＩＤカード情報を読み取る（Ｓ１４１）。
【００９７】
次いで、情報送信手段４９ｂは、Ｓ１４１において読み取ったＩＤカード情報を、ジョブ一覧画面９０の表示の際に利用者名一覧画面８０において選択されていた利用者名とともに、マネージャーＭＦＰ３０に送信する（Ｓ１４２）。
【００９８】
マネージャーＭＦＰ３０のジョブ管理手段３９ｂは、ＩＤカード情報と、利用者名との組み合わせをクライアントＭＦＰ４０から受信すると、受信したＩＤカード情報によって利用者情報テーブル３８ｆを更新する（Ｓ１４３）。具体的には、ジョブ管理手段３９ｂは、利用者情報テーブル３８ｆにおいて対象の利用者名に対応付けられるＩＤカード情報として、対象のＩＤカード情報を記憶させる。ここで、利用者情報テーブル３８ｆにおいて対象の利用者名に既にＩＤカード情報が対応付けられる場合には、既に対応付けられているＩＤカード情報を、対象のＩＤカード情報によって上書きする。
【００９９】
そして、ジョブ管理手段３９ｂは、ＩＤカード情報の登録の成功をクライアントＭＦＰ４０に通知する（Ｓ１４４）。なお、ジョブ管理手段３９ｂは、何らかの理由でＩＤカード情報の登録を失敗した場合には、ＩＤカード情報の登録の失敗をクライアントＭＦＰ４０に通知しても良い。
【０１００】
クライアントＭＦＰ４０は、ＩＤカード情報の登録の成功がマネージャーＭＦＰ３０から通知された場合、ＩＤカード情報の登録の成功を表示部４２に表示しても良い。同様に、クライアントＭＦＰ４０は、ＩＤカード情報の登録の失敗がマネージャーＭＦＰ３０から通知された場合、ＩＤカード情報の登録の失敗を表示部４２に表示しても良い。
【０１０１】
利用者は、利用者情報テーブル３８ｆにＩＤカード情報が登録されると、ＩＤカードリーダー４７にＩＤカードをセットして利用者名一覧画面８０においてボタン８４を押すことによって、ジョブ一覧画面９０を表示部４２に表示させることができる。
【０１０２】
図１５は、ＩＤカードによってジョブ一覧画面９０を表示部４２に表示させる場合のマネージャーＭＦＰ３０およびクライアントＭＦＰ４０の動作のシーケンス図である。なお、図１５に示す処理は、図１１におけるＳ１２５〜Ｓ１２８の処理に代えて実行されることが可能な処理である。
【０１０３】
図１５に示すように、クライアントＭＦＰ４０の情報送信手段４９ｂは、利用者名一覧画面８０においてボタン８４が押されると、ＩＤカードリーダー４７によってＩＤカードからＩＤカード情報を読み取る（Ｓ１６１）。
【０１０４】
次いで、情報送信手段４９ｂは、Ｓ１６１において読み取ったＩＤカード情報をマネージャーＭＦＰ３０に送信する（Ｓ１６２）。
【０１０５】
マネージャーＭＦＰ３０のジョブ管理手段３９ｂは、クライアントＭＦＰ４０から送信されてきたＩＤカード情報を受信すると、受信したＩＤカード情報が利用者情報テーブル３８ｆに記憶されている場合、このＩＤカード情報に対応付けられている利用者名にジョブ情報テーブル３８ｇにおいて関連付けられている印刷ジョブの一覧を抽出する（Ｓ１６３）。そして、ジョブ管理手段３９ｂは、Ｓ１６３において抽出した印刷ジョブの一覧をクライアントＭＦＰ４０に送信する（Ｓ１６４）。
【０１０６】
クライアントＭＦＰ４０は、マネージャーＭＦＰ３０から送信されてきた印刷ジョブの一覧を受信すると、ジョブ一覧画面９０を表示部４２に表示する（Ｓ１６５）。
【０１０７】
以上に説明したように、画像形成システム１０は、コンピューター２０から送信されてきた印刷ジョブを管理するマネージャーＭＦＰ３０がクライアントＭＦＰ４０から送信されてきたＩＤカード情報を管理するので、印刷ジョブを送信するコンピューター２０がＩＤカードリーダーを備えていなくても、ＩＤカード情報を用いたプルプリントを実現することができる。
【０１０８】
また、画像形成システム１０のジョブ管理装置としてのマネージャーＭＦＰ３０は、印刷ジョブの実行と、クライアントＭＦＰへの印刷ジョブの送信のための印刷ジョブの管理とを、コンピューター２０から送信された印刷ジョブの宛先のポート番号によって切り替えて動作するので、画像形成装置によって実現されることが可能である。したがって、画像形成システム１０は、サーバーコンピューターを使用せずにプルプリントを実現することができる。
【０１０９】
なお、以上においては、マネージャーＭＦＰ３０によって管理されている印刷ジョブをクライアントＭＦＰ４０から実行する場合について説明したが、マネージャーＭＦＰ３０によって管理されている印刷ジョブをマネージャーＭＦＰ３０自身から実行する場合も同様の動作によって実現可能である。
【０１１０】
本発明の「ジョブ管理装置」は、本実施の形態においてマネージャーＭＦＰ３０であるが、ＭＦＰ以外の電子機器であっても良い。例えば、本発明の「ジョブ管理装置」は、プリンター専用機など、ＭＦＰ以外の画像形成装置であっても良いし、サーバーコンピューターなど、画像形成装置以外の電子機器であっても良い。
【０１１１】
本発明の「画像形成装置」は、本実施の形態においてクライアントＭＦＰであるが、印刷ジョブを実行可能な装置であれば、プリンター専用機など、ＭＦＰ以外の装置であっても良い。
【符号の説明】
【０１１２】
１０  画像形成システム
２０  コンピューター
２４ｂ  通常印刷用ポート番号（第１のポート番号）
２４ｃ  プルプリント用ポート番号（第２のポート番号）
３０  マネージャーＭＦＰ（ジョブ管理装置）
３８ｃ  通常印刷用ポート番号（第１のポート番号）
３８ｄ  プルプリント用ポート番号（第２のポート番号）
３８ｅ  印刷ジョブ
４０  クライアントＭＦＰ（画像形成装置）
４７  ＩＤカードリーダー（カード読取デバイス）
４９ｂ  情報送信手段
【図１】
2016081438.tif 000003
【図２】
2016081438.tif 000004
【図３】
2016081438.tif 000005
【図４】
2016081438.tif 000006
【図５】
2016081438.tif 000007
【図６】
2016081438.tif 000008
【図７】
2016081438.tif 000009
【図８】
2016081438.tif 000010
【図９】
2016081438.tif 000011
【図１０】
2016081438.tif 000012
【図１１】
2016081438.tif 000013
【図１２】
2016081438.tif 000014
【図１３】
2016081438.tif 000015
【図１４】
2016081438.tif 000016
【図１５】
2016081438.tif 000017